(57)【要約】      （修正有）【課題】止水効果を高めた太陽電池パネルの支持具及び支持構造提供する。【解決手段】複数の太陽電池パネル５、６の端面部同士を結合する支持レールが、ベース２と中間ベース３と上部レール４とで構成され、ベース２に軒側の太陽電池パネル５の棟側端縁部５Ａを支持すると共に、中間ベース３の第１平板部３Ａで棟側端縁部５Ａを押さえ、第１平板部３Ａの上に棟側の太陽電池パネル６の軒側端縁部６Ａを支持し、上部レール４と中間ベース３の第１平板部３Ａで太陽電池パネル６の軒側端縁部６Ａを挟持する。【選択図】  図１
2006132111.tif 000002
【特許請求の範囲】
【請求項１】
複数の太陽電池パネルを屋根に設置する際に、軒側に設置される第１太陽電池パネルの棟側端縁部と、棟側に設置される第２太陽電池パネルの軒側端縁部とを支持する太陽電池パネルの支持具であって、前記屋根に搭載されて前記第１太陽電池パネルの棟側端縁部を支持する第１支持部材と、該第１支持部材に搭載されて前記第１太陽電池パネルの棟側端縁部を固定すると共に、前記第２太陽電池パネルの軒側端縁部を搭載する第２支持部材と、該第２支持部材に搭載されて前記第２太陽電池パネルの軒側端縁部を固定する第３支持部材とを有することを特徴とする太陽電池パネルの支持具。
【請求項２】
複数の太陽電池パネルを屋根に設置する際に、軒側に設置される第１太陽電池パネルの棟側端縁部と、棟側に設置される第２太陽電池パネルの軒側端縁部とを支持する太陽電池パネルの支持構造であって、前記屋根に取り付けられる第１支持部材に前記第１太陽電池パネルの棟側端縁部を支持し、前記第１支持部材上に前記第２太陽電池パネルの軒側端縁部を搭載する第２支持部材を取り付けて、前記第１太陽電池パネルの棟側端縁部を固定させ、前記第２支持部材に第３支持部材を搭載して、前記第２太陽電池パネルの軒側端縁部を固定することを特徴とする太陽電池パネルの支持構造。
【発明の詳細な説明】
【技術分野】
【０００１】
本発明は、太陽電池パネルを屋根等に設置固定するための太陽電池パネルの支持具及び支持構造に関する。
【背景技術】
【０００２】
従来から、太陽電池を屋根に設置する方法として、太陽電池パネルの長さに合わせて支持レールを屋根に取り付け、支持レールに太陽電池パネルを支持させるというものが知られている（特許文献１参照）。
【０００３】
この太陽電池パネルの「支持レール」は、「太陽電池屋根を構成する太陽電池パネルの枠側部を支持する支持部と、この支持部の下面側に形成された樋状部と、この樋状部の下方に当該樋状部の長手方向に沿いかつ樋状部と一体的に形成された所定高さの脚部と」とで形成されるものである。
【０００４】
上記の「太陽電池パネルの支持方法」は、「屋根の軒先側には、軒先から支持レールの軒先先端部に向かって延びる軒先表面板が設けられ、脚部の軒先表面板側端部には脚部の長手方向にわたって所定寸法の切欠部が形成され、軒先表面板の一端部は前記切欠部に収納されている」ものである。
【特許文献１】特許第３３７３０６４号公報
【発明の開示】
【発明が解決しようとする課題】
【０００５】
しかしながら、「コ」字型断面の支持レールに太陽電池パネルを挿入固定する場合、挿入する部分のレールとパネル間の防水のために止水材を入れるが、太陽電池パネルをスライドさせて止水材の間に挿入させるときに、止水材が歪んで剥がれが発生するという問題がある。このように、止水材が歪んだり剥がれたりすると、十分な止水が出来ないため、雨水を流すために樋等を別途設けて防水を図る必要があった。
【０００６】
本発明は、このような問題に着目してなされたものであり、太陽電池パネルを屋根に取付けるときに、太陽電池パネルの端縁部の止水効果を高めた太陽電池パネルの支持具及び支持構造提供することを目的とする。
【課題を解決するための手段】
【０００７】
上記課題を解決するために、本発明の太陽電池パネルの支持具は、複数の太陽電池パネルを屋根に設置する際に、軒側に設置される第１太陽電池パネルの棟側端縁部と、棟側に設置される第２太陽電池パネルの軒側端縁部とを支持する太陽電池パネルの支持具であって、前記屋根に搭載されて前記第１太陽電池パネルの棟側端縁部を支持する第１支持部材と、該第１支持部材に搭載されて前記第１太陽電池パネルの棟側端縁部を固定すると共に、前記第２太陽電池パネルの軒側端縁部を搭載する第２支持部材と、該第２支持部材に搭載されて前記第２太陽電池パネルの軒側端縁部を固定する第３支持部材とを有することを特徴とする。
【０００８】
本発明の太陽電池パネルの支持構造は、複数の太陽電池パネルを屋根に設置する際に、軒側に設置される第１太陽電池パネルの棟側端縁部と、棟側に設置される第２太陽電池パネルの軒側端縁部とを支持する太陽電池パネルの支持構造であって、前記屋根に取り付けられる第１支持部材に前記第１太陽電池パネルの棟側端縁部を支持し、前記第１支持部材上に前記第２太陽電池パネルの軒側端縁部を搭載する第２支持部材を取り付けて、前記第
１太陽電池パネルの棟側端縁部を固定させ、前記第２支持部材に第３支持部材を搭載して、前記第２太陽電池パネルの軒側端縁部を固定することを特徴とする。
【発明の効果】
【０００９】
本発明の太陽電池パネルの支持具及び支持構造によれば、第１支持部材と、第２支持部材と、第３支持部材とで軒側の第１太陽電池パネル、棟側の第２太陽電池パネルを支持するとき、屋根に取り付けられた第１支持部材の上に第１太陽電池パネルの棟側端縁部を支持し、この第１太陽電池パネルの棟側端縁部の上に第２支持部材を取り付けて、この第２支持部材の上に第２太陽電池パネルの軒側端縁部を支持し、第３支持部材で第２太陽電池パネルの軒側端縁部を第２支持部材上に固定するので、第１太陽電池パネルの棟側端縁部の上方に、第２太陽電池パネルの軒側端縁部が位置する。このため、棟側から軒側に流れる雨水が第２太陽電池パネルから第１太陽電池パネルに向かって流れる。しかも、第１支持部材〜第３支持部材は、それぞれ積層して、第１太陽電池パネルと第２太陽電池パネルを支持するので、予め「コ」の字形断面を形成したり、「コ」の字形断面内部に止水材を挿入したり、止水材の中に太陽電池パネルの端縁部を挿入する必要がない。従って、止水材や「コ」字型断面部が歪んだり、剥離して雨水が漏れるといったおそれがなく、止水性が高くなると共に、組立作業性が向上する。
【発明を実施するための最良の形態】
【００１０】
以下、本発明の実施の形態にかかる太陽電池パネルの支持具及び支持構造を図面に基づいて説明する。
【００１１】
図１は、本発明の実施の形態にかかる太陽電池パネルの支持具の構成を示したものであり、この支持具である支持レール１は、図２に示すように、第１支持部材となるベース２と、第２支持部材となる中間ベース３と、第３支持部材となる上部レール４とで構成される。
【００１２】
支持レール１は、図３に示すように、複数の太陽電池パネル５、６、７を屋根８に設置する際に、屋根８の下側（軒側）に設置される第１太陽電池パネル５の棟側端縁部５Ａと、屋根８の上側（棟側）に設置される第２太陽電池パネル６の軒側端縁部６Ａとを支持する支持具である。
【００１３】
これらのベース２、中間ベース３、上部レール４は、一例としてアルミサッシ等のアルミニウム押出し形材或いは耐候性のあるプラスチックにより構成されるものであり、図２に示すように屋根の水平方向に長く延びて複数の太陽電池パネルを支持しうるように形成されている。
【００１４】
屋根８全体が瓦葺きであった場合には、例えば、屋根８の中の太陽電池パネルを敷設する領域を鋼板葺きとし、この鋼板の上にベース２をネジ或いは釘等により固定するが、瓦の上に屋根８の上下方向に延びる柱状の取付部材を固定してから当該取付部材にベース２を敷設しても良い。ベース２は、屋根８に取り付けられる扁平な平板部２Ａを備えており、この平板部２Ａにネジ或いは釘を挿入するための穴２Ｂが開口され、平板部２Ａの幅方向の中央部に上方に凸となる凸状部２Ｃが形成されている。凸状部２Ｃの高さは太陽電池パネルの棟側端縁部５Ａの肉厚より高く設定されている。凸状部２Ｃは太陽電池パネル５の棟側端縁部５Ａの裏面（野路板側の面）を支持すると共に、棟側端縁部５Ａの端面を支える壁となる。凸状部２Ｃの上部には中間ベース３をネジ止めするためのネジ穴２Ｄが形成されている。
【００１５】
平板部２Ａの凸状部２Ｃの図１左側部分は、従来の如く予め「コ」字型断面に形成されていないので、太陽電池パネル５の棟側端縁部５Ａを支持する部分にテープ等を貼って、
太陽電池パネル５の棟側端縁部５Ａを支持するときの止水性を高めることができると共に、平板部２Ａの凸状部２Ｃの図１右側部分においてネジ止め或いは釘止めするので、太陽電池パネル５の棟側端縁部５Ａを傷めない利点がある。
【００１６】
ベース２の上には中間ベース３が搭載される。中間ベース３はベース２の凸状部２Ｃに支持される第１平板部３Ａと、第１平板部３Ａの図１の右側部位から下方に突出する掛止部３Ｂと、第１平板部３Ａと略「Ｕ」字断面形状に形成される第２平板部３Ｃとを有する。
【００１７】
第１平板部３Ａは、ベース２の平板部２Ａと共に太陽電池パネル５の棟側端縁部５Ａを挟んで支持する。第１平板部３Ａの棟側端縁部５Ａ側の下面には下方に僅かに突出した段差部３Ｄが形成されており、この段差部３Ｄの平らな下面に両面粘着テープ等の止水材３Ｆが貼り付けられている。第１平板部３Ａには凸状部２Ｃのネジ穴２Ｄに通じる穴３Ｅが開口されており、穴３Ｅにネジ（図示せず）を挿入してドライバーによりネジを螺着方向に回転させると、当該ネジが凸状部２Ｃのネジ穴２Ｄに螺合して中間ベース３がベース２に固定される。
【００１８】
掛止部３Ｂは、凸状部２Ｃの側壁に掛止される「Ｌ」型断面形状を有している。掛止部３Ｂは凸状部２Ｃの高さ相当の突出量を持っており、中間ベース３を太陽電池パネル５の面に沿って軒側に力が加わっても容易に凸状部２Ｃから外れない強度を有している。
【００１９】
第２平板部３Ｃは、第１平板部３Ａの左側（図１において）から上方に突出した後更に第１平板部３Ａに平行に延びる。第２平板部３Ｃの上面の太陽電池パネル６の軒側端縁部６Ａを支持する部分にテープ等を貼って、軒側端縁部６Ａを支持するときの止水性を高めることができる。
【００２０】
上部レール４は大略「Ｌ」字型の断面形状を有している。上部レール４の角部内側には矩形断面形状の突起部４Ａが形成されている。突起部４Ａが水平板部４Ａから下方に突出する突出量は太陽電池パネル６の厚さ相当の突出量とされている。突起部４Ａから図１の右側部分には、太陽電池パネル６の軒側端縁部６Ａを押さえて支持する水平板部４Ｂが形成され、水平板部４Ｂと中間ベース３の第２平板部３Ｃとで太陽電池パネル６の軒側端縁部６Ａを挟んで支持できるようになっている。
【００２１】
突起部４Ａから図１の下側部位には、中間ベース３の縦壁部３Ｇに掛止される掛止部４Ｃが形成されている。水平板部４Ｂの裏面には両面粘着テープ等からなる止水材６Ｄが貼り付けられている。上部レール４と中間ベース３とは、例えば掛止部４Ｃと中間ベース３の縦壁部３Ｇとにネジ穴を開けてネジにより螺着して結合するが、掛止部４Ｃと縦壁部３Ｇとを接着剤や両面テープで貼り合わせても良い。
【００２２】
複数の太陽電池パネル５、６、７を屋根８に取り付ける場合、先ず、複数のベース２を水平方向に向けて屋根８に設置・固定する。太陽電池パネル５、６、７が屋根８の軒側から棟側に並べられるとき、棟側の太陽電池パネルの軒側端縁部が中間ベース３の第２平板部３Ｃの上に支持され、上部レール４と第２平板部３Ｃとで挟持され、また、軒側の太陽電池パネルの棟側端縁部が、ベース２の平板部２Ａに支持され、平板部２Ａと第１平板部３Ａとで挟持される。
【００２３】
図４（ａ）、（ｂ）は太陽電池パネル５、６を支持レール１で結合する状態を示している。図４（ａ）に示すように、ベース２の平板部２Ａに太陽電池パネル５の棟側端縁部５Ａを支持させ、中間ベース３の掛止部３Ｂを凸状部２Ｃに掛止させつつ第１平板部３Ａで棟側端縁部５Ａを押さえて中間ベース３を凸状部２Ｃに固定する。次に、太陽電池パネル
６の軒側端縁部６Ａを中間ベース３に載せて、上部レール４と中間ベース３とで軒側端縁部６Ａを固定する。
【００２４】
これによって上下の太陽電池パネル５、６を支持レール１で結合でき、棟側から軒側に雨水が流れるとき、例えば太陽電池パネル６の軒側端縁部６Ａに流れ着いた雨水は、上部レール４の止水材４Ｄにより、上部レール４内部に侵入することが阻止される。上部レール４を乗り越えた雨水は、軒側の太陽電池パネル５の棟側端縁部５Ａに流れてゆく。風などによって軒側から棟側に雨水があおられても棟側端縁部５Ａと中間ベース３の第１平板部３Ａは、止水材３Ｆによってシールされているので、太陽電池パネル５と屋根８の間に雨水が浸入することが防止される。
【００２５】
太陽電池パネル５〜７の水平方向にも同じ高さ位置に隣接する太陽電池パネル５’〜７’（図３参照）が敷設される。この太陽電池パネル５〜７と水平方向に隣接する太陽電池パネル５’〜７’の側端部同士の上面は、横枠材９によって覆われている。
【００２６】
図５（ａ）（ｂ）（ｃ）は、この横枠材９の取付構造を示す。即ち、上部レール４の水平板部４Ｂには浅い溝状の凹部４Ｅが形成され、凹部４Ｅの深さは軒側端縁部９Ａが上部レール４と同じ面となるように設定されている。また、上部レール４の掛止部４Ｃ及び中間ベース３の第１平板部３Ａの下面には浅い溝状の凹部４Ｆが設けられ、凹部４Ｆの深さは棟側端縁部９Ａが掛止部４Ｃの下端部と同じ面となるように設定されている。横枠体９の軒側端縁部９Ａは凹部４Ｅに嵌合され、横枠体９の棟側端縁部９Ｂは凹部４Ｆに嵌合されている。
【００２７】
横枠体９の左右両側裏面は、太陽電池パネル５〜７の側縁部と、太陽電池パネル５’〜７’の側端部のそれぞれに、両面テープ等の止水材（図示せず）で接着されている。図５（ｃ）では太陽電池パネル５〜７の裏面側にも横枠体９’を設けて上下の横枠体９、９’で太陽電池パネル５〜７の側端部同士を挟んでいる。下側の横枠体９’の軒側端縁部はベース２の平板部２Ａ上に支持され、下側の横枠体９’の棟側端縁部は中間ベース３の第１平板部３Ａの下面に支持されている。
【００２８】
図６は、支持レール１の側端部の防水構造を示す。上下の支持レール１の間には太陽電池パネル５が取り付けられている。支持レール１の側端部の下であって屋根８の上には捨て板１０が取り付けられ、支持レール１の側端部はカバー１１によって覆われている。
【００２９】
カバー１１の上面部１２の断面形状は、軒側の上部レール４の上面と太陽電池パネル５の表面とを覆い、棟側の中間ベース３の第１平板部３Ａの下面に入り込むように連なっており、これらの輪郭線とほぼ同一の輪郭形状を構成している。カバー１１の上面部１２と、軒側の上部レール４、太陽電池パネル５とは、例えば両面粘着テープなどの止水材（図示せず）により固定され、側端部を止水している。カバー１１の側面部１３は、軒側の支持レール１と、太陽電池パネル５と、軒側の支持レール１の断面形状部分から水が入らないように、これらの側面部分を覆っている。
【００３０】
即ち、カバー１１の側面部１３の軒側端部１３Ａは軒側の支持レール１の側面部であって中間ベース３の第１平板部３Ａまで覆っている。カバー１３の中間部１３Ｂは太陽電池パネル５と屋根８の間を覆っており、カバー１１の側面部１３の棟側端部１３Ｃは軒側の支持レール１の側面部であって中間ベース３の第１平板部３Ａの下方まで覆っている。軒側のカバー１１の棟側端部１３Ｂと棟側のカバー１１の軒側端部１３Ａは重なり合うことが出来るように重なりしろ部分が設けられている。棟側端部１３Ｂには固定突起１３Ｃが形成されており、固定突起１３Ｃは、ふらつかないように、棟側に位置するカバー１１の軒側端部１３Ａの下に挿入されて固定される。
【００３１】
以上説明したように、この支持レール１は、複数の太陽電池パネル５、６の多年部同士を結合するものであり、第１支持部材であるベース２と、第２支持部材である中間ベース３と、第３支持部材である上部レール４とで構成され、ベース２に軒側の太陽電池パネル５の棟側端縁部５Ａを支持すると共に、中間ベース３の第１平板部３Ａで棟側端縁部５Ａを押さえ、更に、第１平板部３Ａの上に棟側の太陽電池パネル６の軒側端縁部６Ａを支持し、上部レール４と中間ベース３の第１平板部３Ａで太陽電池パネル６の軒側端縁部６Ａを挟持するので、止水材３Ｆ、４Ｄがまくれたり、歪んだり、剥離するおそれがなく、止水性が向上すると共に、ベース２、中間ベース３、上部レール４を組み立てながら太陽電池パネル５、６を装着してゆくので、作業性が良好である。
【図面の簡単な説明】
【００３２】
【図１】（ａ）は本発明の実施の形態にかかる支持レールの断面構成及び組立構造を示す断面図、（ｂ）はベースと軒側の太陽電池パネルの取付状態を示す断面図、（ｃ）はベースと軒側の太陽電池パネルと中間ベースの取付状態を示す断面図、（ｄ）はベースと軒側の太陽電池パネルと中間ベースと棟側の太陽電池パネルの取付状態を示す断面図、（ｅ）はベースと軒側の太陽電池パネルと中間ベースと棟側の太陽電池パネル及び上部レールの取付状態を示す断面図。
【図２】図２はベース、中間ベース、上部レールの部分斜視図。
【図３】図３はベースと軒側の太陽電池パネルと中間ベースと棟側の太陽電池パネル及び上部レールの組み付けた状態を示す部分斜視図。
【図４】（ａ）はベースと軒側の太陽電池パネルと中間ベースと棟側の太陽電池パネル及び上部レールの組み付け前の状態を示す分解斜視図、（ｂ）はベース、軒側の太陽電池パネル、中間ベース、棟側の太陽電池パネル、上部レールの結合状態を示す部分斜視図。
【図５】（ａ）（ｂ）（ｃ）は横枠材の取付構造を示す図。
【図６】支持レールの側端部の防水構造を示す図。
【符号の説明】
【００３３】
１    支持レール
２    ベース
２Ａ  平板部
３    中間ベース
３Ａ  第１平板部
３Ｂ  掛止部
３Ｃ  第２平板部
４    上部レール
５    軒側の太陽電池パネル
６    棟側の太陽電池パネル
９    横枠部
１０    捨て板
１１    カバー
１２    上面部
１３    側面部
【図１】
2006132111.tif 000003
【図２】
2006132111.tif 000004
【図３】
2006132111.tif 000005
【図４】
2006132111.tif 000006
【図５】
2006132111.tif 000007
【図６】
2006132111.tif 000008